(57)【要約】  冷蔵庫用ガラス棚は、ガラス板と、後枠部を有する枠体と、枠体に取り付けられ、ガラス板の後端部を保持する後部部品と、後枠部に形成された係合部と、後部部品に形成された被係合部と、を備え、係合部は、前後方向に沿って形成されるとともに後枠部から後部部品に向かって突出した板状部と、板状部の板面上に形成された爪部と、を有しており、被係合部は、爪部が嵌入される穴部を有しており、爪部は、後枠部側を向いた第１面と、それぞれ前後方向の両側を向いた第２面及び第３面と、を有しており、穴部は、第１面と接触する第１内壁面と、第２面と接触する第２内壁面と、第３面と接触する第３内壁面と、を有している。
2019058509.tif 000002
【特許請求の範囲】
【請求項１】
冷蔵庫の貯蔵室内に配置される冷蔵庫用ガラス棚であって、
棚面に平行な前後方向の両端に形成された前端部及び後端部と、前記前端部と前記後端部との間に形成された一対の側端部と、を有するガラス板と、
前記前端部を保持する前枠部と、前記一対の側端部をそれぞれ保持する一対の側枠部と、前記後端部に沿って前記一対の側枠部同士を接続する後枠部と、を有する枠体と、
前記棚面に垂直な方向に見て前記後枠部と重なるように前記枠体に取り付けられ、前記後端部を保持する後部部品と、
前記後枠部又は前記後部部品の一方に形成された係合部と、
前記後枠部又は前記後部部品の他方に形成され、前記係合部に係合される被係合部と、を備え、
前記係合部は、前記前後方向に沿って形成されるとともに前記一方から前記他方に向かって突出した板状部と、前記板状部の板面上に凸状に形成された爪部と、を有しており、
前記被係合部は、前記爪部が嵌入される穴部を有しており、
前記爪部は、前記一方側を向いた第１面と、それぞれ前記前後方向の両側を向いた第２面及び第３面と、を有しており、
前記穴部は、前記第１面と接触する第１内壁面と、前記第２面と接触する第２内壁面と、前記第３面と接触する第３内壁面と、を有している冷蔵庫用ガラス棚。
【請求項２】
貯蔵室と、
前記貯蔵室内に配置されたガラス棚と、
前記貯蔵室の両側の側壁に形成され、前記ガラス棚を支持する一対の支持部材と、
を備え、
前記ガラス棚は、
棚面に平行な前後方向の両端に形成された前端部及び後端部と、前記前端部と前記後端部との間に形成された一対の側端部と、を有するガラス板と、
前記前端部を保持する前枠部と、前記一対の側端部をそれぞれ保持する一対の側枠部と、前記後端部に沿って前記一対の側枠部同士を接続する後枠部と、を有する枠体と、
前記棚面に垂直な方向に見て前記後枠部と重なるように前記枠体に取り付けられ、前記後端部を保持する後部部品と、
前記後枠部又は前記後部部品の一方に形成された係合部と、
前記後枠部又は前記後部部品の他方に形成され、前記係合部に係合される被係合部と、を有しており、
前記係合部は、前記前後方向に沿って形成されるとともに前記一方から前記他方に向かって突出した板状部と、前記板状部の板面上に凸状に形成された爪部と、を有しており、
前記被係合部は、前記爪部が嵌入される穴部を有しており、
前記爪部は、前記一方側を向いた第１面と、それぞれ前記前後方向の両側を向いた第２面及び第３面と、を有しており、
前記穴部は、前記第１面と接触する第１内壁面と、前記第２面と接触する第２内壁面と、前記第３面と接触する第３内壁面と、を有している冷蔵庫。
【請求項３】
貯蔵室と、
前記貯蔵室内に配置されたガラス棚と、
前記貯蔵室の両側の側壁に形成され、前記ガラス棚を支持する一対の支持部材と、
を備え、
前記ガラス棚は、
棚面に平行な前後方向の両端に形成された前端部及び後端部と、前記前端部と前記後端部との間に形成された一対の側端部と、を有するガラス板と、
前記前端部を保持する前枠部と、前記一対の側端部をそれぞれ保持する一対の側枠部と、前記後端部に沿って前記一対の側枠部同士を接続する後枠部と、を有する枠体と、
前記棚面に垂直な方向に見て前記後枠部と重なるように前記枠体に取り付けられ、前記後端部を保持する後部部品と、
前記後枠部又は前記後部部品の一方に形成された係合部と、
前記後枠部又は前記後部部品の他方に形成され、前記係合部に係合される被係合部と、を有しており、
前記係合部及び前記被係合部は、前記後枠部に対する前記後部部品の前記前後方向での相対的な移動を規制するように構成されている冷蔵庫。
【請求項４】
前記後部部品は、前記棚面に平行な当接面を介して前記後枠部に当接している請求項２又は請求項３に記載の冷蔵庫。
【請求項５】
前記枠体は、前記棚面に平行な第１表面と、前記ガラス棚の厚み方向において前記第１表面よりも内側に形成され後方に開口した凹部と、を有しており、
前記後部部品は、前記棚面に平行な第２表面と、前記凹部に挿入される凸部と、を有しており、
前記第１表面及び前記第２表面は、同一面上に配置されている請求項２〜請求項４のいずれか一項に記載の冷蔵庫。
【発明の詳細な説明】
【技術分野】
【０００１】
本発明は、冷蔵庫用ガラス棚及びそれを備えた冷蔵庫に関するものである。
【背景技術】
【０００２】
特許文献１には、貯蔵室内に配置されたガラス棚を備えた冷蔵庫が記載されている。ガラス棚は、ガラス板と、ガラス板の端部を保護する枠状の保護部材と、を有している。ガラス板の外周には、上角部及び下角部が形成されている。保護部材は、ガラス板の外周の全周にわたって上角部及び下角部を保護している。
【先行技術文献】
【特許文献】
【０００３】
【特許文献１】特開２０１５−３４６５２号公報
【発明の概要】
【発明が解決しようとする課題】
【０００４】
上記のようなガラス棚では、組立てを容易にするため、保護部材を枠体及び後部部品の２部品で構成することが考えられる。この場合、枠体は、ガラス板の前端部を保持する前枠部と、ガラス板の両側の側端部を保持する一対の側枠部と、ガラス板の後端部に沿って延伸した後枠部と、を有する。後部部品は、後枠部に取り付けられ、ガラス板の後端部を後枠部と共に保持する。ガラス棚を組み立てる際には、ガラス板を後枠部側から枠体に挿入し、その後、後枠部に後部部品を取り付ける。これにより、ガラス板の全周が保護部材で保護されるガラス棚を容易に組み立てることができる。【０００５】
しかしながら、上記のガラス棚では、後枠部又は後部部品に対して上下方向の荷重が加えられると、ガラス棚の前後方向でたわみが生じやすくなる場合があるという課題があった。【０００６】
本発明は、上述のような課題を解決するためになされたものであり、前後方向でのたわみが生じるのを抑えることができる冷蔵庫用ガラス棚及びそれを備えた冷蔵庫を提供することを目的とする。
【課題を解決するための手段】
【０００７】
本発明に係る冷蔵庫用ガラス棚は、冷蔵庫の貯蔵室内に配置される冷蔵庫用ガラス棚であって、棚面に平行な前後方向の両端に形成された前端部及び後端部と、前記前端部と前記後端部との間に形成された一対の側端部と、を有するガラス板と、前記前端部を保持する前枠部と、前記一対の側端部をそれぞれ保持する一対の側枠部と、前記後端部に沿って前記一対の側枠部同士を接続する後枠部と、を有する枠体と、前記棚面に垂直な方向に見て前記後枠部と重なるように前記枠体に取り付けられ、前記後端部を保持する後部部品と、前記後枠部又は前記後部部品の一方に形成された係合部と、前記後枠部又は前記後部部品の他方に形成され、前記係合部に係合される被係合部と、を備え、前記係合部は、前記前後方向に沿って形成されるとともに前記一方から前記他方に向かって突出した板状部と、前記板状部の板面上に凸状に形成された爪部と、を有しており、前記被係合部は、前記爪部が嵌入される穴部を有しており、前記爪部は、前記一方側を向いた第１面と、それぞれ前記前後方向の両側を向いた第２面及び第３面と、を有しており、前記穴部は、前記第１面と接触する第１内壁面と、前記第２面と接触する第２内壁面と、前記第３面と接触する第３内壁面と、を有しているものである。
本発明に係る冷蔵庫は、貯蔵室と、前記貯蔵室内に配置されたガラス棚と、前記貯蔵室の両側の側壁に形成され、前記ガラス棚を支持する一対の支持部材と、を備え、前記ガラス棚は、棚面に平行な前後方向の両端に形成された前端部及び後端部と、前記前端部と前記後端部との間に形成された一対の側端部と、を有するガラス板と、前記前端部を保持する前枠部と、前記一対の側端部をそれぞれ保持する一対の側枠部と、前記後端部に沿って前記一対の側枠部同士を接続する後枠部と、を有する枠体と、前記棚面に垂直な方向に見て前記後枠部と重なるように前記枠体に取り付けられ、前記後端部を保持する後部部品と、前記後枠部又は前記後部部品の一方に形成された係合部と、前記後枠部又は前記後部部品の他方に形成され、前記係合部に係合される被係合部と、を有しており、前記係合部は、前記前後方向に沿って形成されるとともに前記一方から前記他方に向かって突出した板状部と、前記板状部の板面上に凸状に形成された爪部と、を有しており、前記被係合部は、前記爪部が嵌入される穴部を有しており、前記爪部は、前記一方側を向いた第１面と、それぞれ前記前後方向の両側を向いた第２面及び第３面と、を有しており、前記穴部は、前記第１面と接触する第１内壁面と、前記第２面と接触する第２内壁面と、前記第３面と接触する第３内壁面と、を有しているものである。
【発明の効果】
【０００８】
本発明によれば、第２面と第２内壁面とが接触し、第３面と第３内壁面とが接触することにより、後枠部に対する後部部品の前後方向での相対的な移動が規制される。このため、後枠部又は後部部品に上下方向の荷重が加えられたとしても、後枠部及び後部部品のそれぞれに独立してたわみが生じるのを防ぐことができる。したがって、本発明によれば、ガラス棚に前後方向でのたわみが生じるのを抑えることができる。
【図面の簡単な説明】
【０００９】
【図１】本発明の実施の形態１に係る冷蔵庫１の構成を示す正面図である。
【図２】図１のＩＩ−ＩＩ断面を示す断面図である。
【図３】本発明の実施の形態１に係るガラス棚２０の構成を示す分解斜視図である。
【図４】本発明の実施の形態１に係るガラス棚２０の構成を示す分解斜視図である。
【図５】本発明の実施の形態１に係るガラス棚２０の構成を示す斜視図である。
【図６】図３に示すガラス棚２０を斜め後方かつ下方から見た分解斜視図である。
【図７】図４に示すガラス棚２０を斜め後方かつ下方から見た分解斜視図である。
【図８】本発明の実施の形態１に係るガラス棚２０の構成の変形例を示す斜視図である。
【図９】図７のＩＸ部を拡大して示す図である。
【図１０】図７のＩＸ部を斜め上方から見た構成を示す図である。
【図１１】本発明の実施の形態１に係るガラス棚２０における係合部６０及び被係合部７０の近傍をＸＺ平面に沿って切断した構成を示す断面図である。
【図１２】本発明の実施の形態１に係るガラス棚２０における係合部６０及び被係合部７０の近傍をＸＺ平面に沿って切断した構成を示す断面図である。
【図１３】図１１のＸＩＩＩ−ＸＩＩＩ断面を示す断面図である。
【図１４】図１２のＸＩＶ−ＸＩＶ断面を示す断面図である。
【図１５】図７のＸＶ部を拡大して示す図である。
【図１６】本発明の実施の形態１に係るガラス棚２０における凹部４８及び凸部５５近傍をＹＺ平面に沿って切断した構成を示す断面図である。
【図１７】本発明の実施の形態１に係るガラス棚２０における凹部４８及び凸部５５近傍をＹＺ平面に沿って切断した構成を示す断面図である。
【図１８】図１６のＸＶＩＩＩ−ＸＶＩＩＩ断面を示す断面図である。
【図１９】図１７のＸＩＸ−ＸＩＸ断面を示す断面図である。
【発明を実施するための形態】
【００１０】
実施の形態１．
本発明の実施の形態１に係る冷蔵庫用ガラス棚及び冷蔵庫について説明する。図１は、本実施の形態に係る冷蔵庫１の構成を示す正面図である。図２は、図１のＩＩ−ＩＩ断面を示す断面図である。明細書中における各構成部材同士の位置関係（例えば、上下関係等）は、原則として、冷蔵庫用ガラス棚及び冷蔵庫を使用可能な状態に設置したときのものである。ここで、図１及び図２を含む以下の図面の対応関係を明確にするため、以下のような座標系を定義する。冷蔵庫１を正面側から見たときの冷蔵庫１の左右方向に沿ってＸ軸をとり、右側を＋Ｘ方向とする。冷蔵庫１の前後方向に沿ってＹ軸をとり、後方側すなわち冷蔵庫１の背面側を＋Ｙ方向とする。冷蔵庫１の上下方向に沿ってＺ軸をとり、上側を＋Ｚ方向とする。通常、ＸＹ平面は水平面であり、Ｚ軸方向は鉛直上下方向である。以下の説明では、Ｘ軸方向すなわち冷蔵庫１の左右方向のことを単に「左右方向」という場合があり、Ｙ軸方向すなわち冷蔵庫１の前後方向のことを単に「前後方向」という場合があり、Ｚ軸方向すなわち冷蔵庫１の上下方向のことを単に「上下方向」という場合がある。
【００１１】
図１及び図２に示すように、冷蔵庫１は、前面が開口された複数の貯蔵室として、冷蔵室１０、野菜室１１及び冷凍室１２を有している。冷蔵室１０、野菜室１１及び冷凍室１２のそれぞれの開口部には、当該開口部を開閉する回転式又は引出式の扉が設けられている。
【００１２】
冷蔵室１０の一方の側壁には、互いに異なる高さ位置に配置された複数の支持部材１３が形成されている。複数の支持部材１３のそれぞれは、前後方向に延びたレール状の形状を有している。図示していないが、冷蔵室１０の他方の側壁にも、複数の支持部材１３のそれぞれと同じ高さ位置に配置された複数の支持部材が形成されている。冷蔵室１０の一方の側壁に形成された１つの支持部材１３と、他方の側壁のうち当該支持部材１３と同じ高さ位置に形成された１つの支持部材と、によって一対の支持部材が構成される。
【００１３】
冷蔵室１０内には、冷蔵庫用ガラス棚として、複数のガラス棚２０が着脱自在に配置されている。複数のガラス棚２０のそれぞれの左右方向両端は、一対の支持部材によって支持されている。複数のガラス棚２０のそれぞれは、食品等の貯蔵物が載置される棚面２１が概ね水平となるように設けられている。
【００１４】
図２中の太矢印で示す冷気１４は、冷蔵室１０の奥側に設けられたダクト部材１５により形成された風路１６を通り、ダクト部材１５に形成された吹出口１７から冷蔵室１０内に吹き出される。冷蔵室１０に供給される冷気１４によって、冷蔵室１０内が冷却される。
【００１５】
次に、本実施の形態に係るガラス棚２０の構成について説明する。図３及び図４は、本実施の形態に係るガラス棚２０の構成を示す分解斜視図である。図５は、本実施の形態に係るガラス棚２０の構成を示す斜視図である。図３では、ガラス棚２０の枠体４０からガラス板３０及び後部部品５０を取り外した状態を示しており、図４では、図３に示す状態からガラス板３０を枠体４０に取り付けた状態を示している。図５では、図４に示す状態からさらに後部部品５０を枠体４０に取り付けた状態を示している。図６は、図３に示すガラス棚２０を斜め後方かつ下方から見た分解斜視図である。図７は、図４に示すガラス棚２０を斜め後方かつ下方から見た分解斜視図である。
【００１６】
図３〜図７に示すように、ガラス棚２０は、ガラス板３０、枠体４０及び後部部品５０を主に有している。ガラス板３０は、透明なガラス製の長方形状の平板である。ガラス板３０は、前後方向の両端に形成された前端部３１及び後端部３２と、前端部３１と後端部３２との間であって左右方向の両端に形成された左側端部３３及び右側端部３４と、を有している。ガラス板３０は、左側端部３３と右側端部３４との間の左右方向の幅寸法が前端部３１と後端部３２との間の前後方向の奥行寸法よりも長い横長の形状を有している。ガラス板３０の上面は、貯蔵物が載置される棚面２１となる（図５参照）。前端部３１、後端部３２、左側端部３３及び右側端部３４を含むガラス板３０の外周端部は、枠体４０及び後部部品５０により全周にわたって保護されている。
【００１７】
枠体４０は、開口部を有する長方形状の枠状部品である。枠体４０は、ガラス板３０の前端部３１を保持する前枠部４１と、左側端部３３を保持する左側枠部４３と、右側端部３４を保持する右側枠部４４と、を有している。前枠部４１は、ガラス板３０の前端部３１を上面側及び下面側から挟持できるように、Ｕ字状の断面形状を有している。同様に、左側枠部４３及び右側枠部４４のそれぞれは、Ｕ字状の断面形状を有している。また、枠体４０は、ガラス板３０の後端部３２に沿って左側枠部４３と右側枠部４４とを接続する後枠部４２を有している。後枠部４２の下面は、後部部品５０に当接される被当接面４５となっている。後部部品５０が取り付けられる前の枠体４０は、後枠部４２側から左側枠部４３及び右側枠部４４に沿ってガラス板３０を挿入できるように構成されている。
【００１８】
枠体４０の後枠部４２の前後方向の幅は、前枠部４１の前後方向の幅、左側枠部４３の左右方向の幅及び右側枠部４４の左右方向の幅のいずれよりも広くなっている。また、後枠部４２の後端には、ダクト部材１５の形状に沿うように凹状の切欠き４２ａが形成されている。
【００１９】
後部部品５０は、ガラス板３０の後端部３２を保持するための部品である。後部部品５０は、棚面２１に垂直な上下方向に見て後枠部４２に重なるように、ねじ５２等を用いて枠体４０に取り付けられる。ガラス板３０が挿入された枠体４０に後部部品５０が取り付けられると、ガラス板３０の後端部３２が後部部品５０によって保持される。これにより、ガラス板３０の全周が枠体４０及び後部部品５０によって保持される。
【００２０】
後部部品５０の上面は、後枠部４２の被当接面４５に当接する当接面５１となっている。後枠部４２の被当接面４５及び後部部品５０の当接面５１は、ガラス棚２０の棚面２１と概ね平行となるように形成されている。ここで、後枠部４２の下面及び後部部品５０の上面には、肉抜き部と、格子状に肉が残存したリブと、が形成されている。このため、被当接面４５及び当接面５１は、格子状のリブによって形成されている。
【００２１】
後部部品５０は、後枠部４２と同様の平面形状を有している。後部部品５０の後端には、切欠き４２ａと同形状の切欠き５０ａが形成されている。
【００２２】
図８は、本実施の形態に係るガラス棚２０の構成の変形例を示す斜視図である。図８に示すように、本変形例の枠体４０の後枠部４２には凹状の切欠き４２ａが形成されていないため、後枠部４２の後端は直線状に形成されている。これにより、後枠部４２の前後方向の幅は、左右方向の全体にわたって均等になっている。図示していないが、後部部品５０は、後枠部４２と同様の平面形状を有している。すなわち、後部部品５０の後端は直線状に形成されている。冷蔵室１０内部の構造によっては、図８に示すようなガラス棚２０が用いられる場合がある。
【００２３】
図９は、図７のＩＸ部を拡大して示す図である。図１０は、図７のＩＸ部を斜め上方から見た構成を示す図である。図９及び図１０に示すように、後枠部４２には係合部６０が形成されている。後部部品５０には、係合部６０に係合される被係合部７０が形成されている。係合部６０及び被係合部７０は、ねじ５２により固定される固定部よりも前後方向で後端側に設けられている。図９及び図１０では１組の係合部６０及び被係合部７０のみを示しているが、本実施の形態では、２組の係合部６０及び被係合部７０が概ね左右対称となる位置に設けられている。
【００２４】
係合部６０は、冷蔵庫１の前後方向に延伸したリブ４６と一体的に形成されている。リブ４６は、後枠部４２下面の被当接面４５を形成する格子状のリブの一部である。係合部６０は、リブ４６からさらに後部部品５０側に向かって突出した板状部６１を有している。板状部６１は、リブ４６と同様に前後方向に沿って形成されている。また、係合部６０は、板状部６１の一方の板面６１ａ上に凸状に形成された爪部６２を有している。爪部６２は、前後方向（Ｙ軸方向）に長い横長長方形状の形状を有している。
【００２５】
被係合部７０は、冷蔵庫１の前後方向に延伸したリブ５３に形成されている。リブ５３は、後部部品５０上面の当接面５１を形成する格子状のリブの一部である。被係合部７０は、爪部６２に相対するように設けられ爪部６２が嵌入される穴部７１を有している。本実施の形態の穴部７１はリブ５３を貫通して形成されているが、穴部７１は必ずしもリブ５３を貫通している必要はない。穴部７１は、爪部６２と同様に前後方向（Ｙ軸方向）に長い横長長方形状の開口形状を有している。
【００２６】
図１１及び図１２は、本実施の形態に係るガラス棚２０における係合部６０及び被係合部７０の近傍をＸＺ平面に沿って切断した構成を示す断面図である。図１１は、係合部６０及び被係合部７０の係合が解除された状態を示しており、図１２は、係合部６０及び被係合部７０が係合した状態を示している。図１３は、図１１のＸＩＩＩ−ＸＩＩＩ断面を示す断面図である。図１４は、図１２のＸＩＶ−ＸＩＶ断面を示す断面図である。
【００２７】
図１１〜図１４に示すように、爪部６２は、後枠部４２側すなわち＋Ｚ方向を向いた第１面６２ａと、前方側すなわち−Ｙ方向を向いた第２面６２ｂと、後方側すなわち＋Ｙ方向を向いた第３面６２ｃと、を有している。第１面６２ａは、爪部６２の係止面となる。穴部７１は、第１面６２ａと対面する第１内壁面７１ａと、第２面６２ｂと対面する第２内壁面７１ｂと、第３面６２ｃと対面する第３内壁面７１ｃと、を有している。爪部６２が穴部７１に嵌入した状態では、第１内壁面７１ａは第１面６２ａと接触しており、第２内壁面７１ｂは第２面６２ｂと接触しており、第３内壁面７１ｃは第３面６２ｃと接触している。第１内壁面７１ａは、爪部６２によって係止される被係止面となる。
【００２８】
板状部６１は、後部部品５０側すなわち−Ｚ方向を向いた先端面６１ｂを有している。爪部６２が穴部７１に嵌入した状態では、先端面６１ｂは、必ずしも穴部７１の内壁面ではないものの後部部品５０の一部と接触している。爪部６２は、後部部品５０側を向いた第４面をさらに有していてもよいし、穴部７１は、当該第４面と対面する第４内壁面をさらに有していてもよい。この場合、爪部６２の第４面と穴部７１の第４内壁面とを接触させることにより、爪部６２の全周と穴部７１の内壁面の全周とを接触させることができる。
【００２９】
本実施の形態では、第２面６２ｂと第２内壁面７１ｂとが接触しており、かつ第３面６２ｃと第３内壁面７１ｃとが接触しているため、後枠部４２に対する後部部品５０の前後方向（Ｙ軸方向）での相対的な移動が規制される。
【００３０】
後枠部４２の後端又は後部部品５０の後端に上下方向の荷重が加えられると、後枠部４２及び後部部品５０のそれぞれに独立して前後方向のたわみが生じる場合がある。この場合、後枠部４２の被当接面４５と後部部品５０の当接面５１との間には、前後方向に相対的な滑りが生じる。例えば、ねじ５２によって後枠部４２と後部部品５０とが部分的に固定されている場合には、ねじ５２による固定部から前後方向に離れた部分ほど、後枠部４２と後部部品５０との間に生じる前後方向のずれは大きくなる。
【００３１】
これに対し、本実施の形態では、係合部６０及び被係合部７０によって、後枠部４２に対する後部部品５０の前後方向での相対的な移動が規制される。このため、後枠部４２及び後部部品５０のそれぞれに独立してたわみが生じるのを防ぐことができる。これにより、後枠部４２及び後部部品５０は、後枠部４２の後端又は後部部品５０の後端に加えられる上下方向の荷重に対し、一体的に変形する。このため、後枠部４２及び後部部品５０には、前後方向でのたわみが生じにくくなる。ガラス棚２０において後枠部４２及び後部部品５０以外の部分は、ガラス板３０により強度が確保されるため、前後方向でのたわみが元々生じにくくなっている。したがって、本実施の形態によれば、ガラス棚２０に前後方向でのたわみが生じるのを防ぐことができ、ガラス棚２０の強度を向上させることができる。
【００３２】
また、本実施の形態では、第１面６２ａと第１内壁面７１ａとが接触しており、かつ板状部６１の先端面６１ｂと後部部品５０の一部とが接触しているため、後枠部４２に対する後部部品５０の上下方向（Ｚ軸方向）での相対的な移動も規制される。これにより、後枠部４２と後部部品５０との間の上下方向でのがたつきを防ぐことができる。爪部６２の第４面と穴部７１の第４内壁面とを接触させることにより、爪部６２の全周と穴部７１の内壁面の全周とを接触させた場合にも、同様の効果が得られる。
【００３３】
ここで、本実施の形態では、爪部６２のＹ軸方向の幅と穴部７１のＹ軸方向の幅とが同一であるため、第２面６２ｂと第２内壁面７１ｂとが実際に接触しており、第３面６２ｃと第３内壁面７１ｃとが実際に接触している。ただし、製造誤差によって爪部６２のＹ軸方向の幅が穴部７１のＹ軸方向の幅よりも広く形成されてしまうと、爪部６２が穴部７１に嵌入できなくなる場合がある。したがって、爪部６２のＹ軸方向の幅は、穴部７１のＹ軸方向の幅よりも若干狭く設計されるようにしてもよい。例えば、爪部６２及び穴部７１のＹ軸方向の幅が２０ｍｍ程度である場合、爪部６２のＹ軸方向の幅が穴部７１のＹ軸方向の幅よりも２．５％程度狭く形成されていても、後枠部４２に対する後部部品５０の前後方向での相対的な移動は実質的に許容されない。したがって、本実施の形態において、爪部６２のＹ軸方向の幅の実測値が、穴部７１のＹ軸方向の幅の実測値の９７．５％以上１００％以下であれば、第２面６２ｂと第２内壁面７１ｂとが接触し、かつ第３面６２ｃと第３内壁面７１ｃとが接触する、と見なすことができる。
【００３４】
また、爪部６２のＹ軸方向の幅の実測値は、穴部７１のＹ軸方向の幅の実測値よりも若干広くなっていてもよい。この場合、爪部６２は穴部７１に圧入されるため、第２面６２ｂと第２内壁面７１ｂとを確実に接触させることができ、かつ第３面６２ｃと第３内壁面７１ｃとを確実に接触させることができる。
【００３５】
なお、本実施の形態では、係合部６０が後枠部４２に形成されており、被係合部７０が後部部品５０に形成されているが、係合部６０が後部部品５０に形成され、被係合部７０が後枠部４２に形成されていてもよい。
【００３６】
図１５は、図７のＸＶ部を拡大して示す図である。図１５に示すように、枠体４０は、棚面２１に平行な第１表面４７と、ガラス棚２０の厚み方向（Ｚ軸方向）において第１表面４７よりも内側に形成され、後方（＋Ｙ方向）に開口した凹部４８と、を有している。凹部４８は、右側枠部４４と後枠部４２との境界部４９に設けられている。図１５では図示していないが、左側枠部４３と後枠部４２との境界部には、凹部４８と左右対称に形成された別の凹部が設けられている。
【００３７】
後部部品５０は、棚面２１に平行な第２表面５４と、前方（−Ｙ方向）に突出し、凹部４８に挿入される凸部５５と、を有している。凸部５５は、後部部品５０の前端部右寄りに設けられている。図１５では図示していないが、後部部品５０の前端部左寄りには、凸部５５と左右対称に形成され、上記別の凹部に挿入される別の凸部が形成されている。
【００３８】
図１６及び図１７は、本実施の形態に係るガラス棚２０における凹部４８及び凸部５５近傍をＹＺ平面に沿って切断した構成を示す断面図である。図１６は、凸部５５が凹部４８に挿入される前の状態を示しており、図１７は、凸部５５が凹部４８に挿入された後の状態を示している。図１８は、図１６のＸＶＩＩＩ−ＸＶＩＩＩ断面を示す断面図である。図１９は、図１７のＸＩＸ−ＸＩＸ断面を示す断面図である。
【００３９】
図１６〜図１９に示すように、凸部５５が凹部４８に挿入されると、枠体４０と後部部品５０との継ぎ目５６を挟んで、第１表面４７と第２表面５４とが同一面上に配置される。これにより、枠体４０と後部部品５０との継ぎ目５６に段差が形成されるのを防ぐことができる。したがって、使用者の手又は指が継ぎ目５６に引っかかってしまうのを防止できるため、ガラス棚２０及び冷蔵庫１をより使いやすくすることができる。また、継ぎ目５６において枠体４０と後部部品５０とが当接するため、枠体４０に対する後部部品５０の前後方向での相対的な移動を規制することもできる。
【００４０】
次に、ガラス棚２０を組み立てる工程について説明する。まず、ガラス板３０を後枠部４２側から枠体４０に挿入する。これにより、ガラス板３０の外周のうち前端部３１、左側端部３３及び右側端部３４が枠体４０によって保持される。次に、後部部品５０を枠体４０に取り付ける。後部部品５０を枠体４０に取り付ける際には、まず、凸部５５を凹部４８に挿入する。これにより、後部部品５０の前端側が枠体４０によって支持される。次に、後部部品５０の前端側を支点として、後部部品５０の当接面５１と枠体４０の後枠部４２の被当接面４５とを当接させるとともに、係合部６０を被係合部７０に係合させる。その後、ねじ５２等を用いて後部部品５０を枠体４０に固定する。これにより、ガラス板３０の後端部３２が後部部品５０によって保持され、ガラス板３０の全周が枠体４０及び後部部品５０によって覆われる。以上の工程により、ガラス棚２０が組み立てられる。
【００４１】
以上説明したように、本実施の形態に係る冷蔵庫１は、冷蔵室１０と、冷蔵室１０内に配置されたガラス棚２０と、冷蔵室１０の両側の側壁に形成され、ガラス棚２０を支持する一対の支持部材１３と、を備えている。ガラス棚２０は、棚面２１に平行な前後方向の両端に形成された前端部３１及び後端部３２と、前端部３１と後端部３２との間に形成された左側端部３３及び右側端部３４と、を有するガラス板３０と、前端部３１を保持する前枠部４１と、左側端部３３及び右側端部３４をそれぞれ保持する左側枠部４３及び右側枠部４４と、後端部３２に沿って左側枠部４３と右側枠部４４とを接続する後枠部４２と、を有する枠体４０と、棚面２１に垂直な方向に見て後枠部４２と重なるように枠体４０に取り付けられ、後端部３２を保持する後部部品５０と、後枠部４２又は後部部品５０の一方に形成された係合部６０と、後枠部４２又は後部部品５０の他方に形成され、係合部６０に係合される被係合部７０と、を有している。係合部６０は、前後方向に沿って形成されるとともに上記一方から上記他方に向かって突出した板状部６１と、板状部６１の板面６１ａ上に凸状に形成された爪部６２と、を有している。被係合部７０は、爪部６２が嵌入される穴部７１を有している。爪部６２は、上記一方側を向いた第１面６２ａと、それぞれ前後方向の両側を向いた第２面６２ｂ及び第３面６２ｃと、を有している。穴部７１は、第１面６２ａと接触する第１内壁面７１ａと、第２面６２ｂと接触する第２内壁面７１ｂと、第３面６２ｃと接触する第３内壁面７１ｃと、を有している。
【００４２】
この構成によれば、第２面６２ｂと第２内壁面７１ｂとが接触し、第３面６２ｃと第３内壁面７１ｃとが接触することにより、後枠部４２に対する後部部品５０の前後方向での相対的な移動が規制される。このため、後枠部４２又は後部部品５０に上下方向の荷重が加えられたとしても、後枠部４２及び後部部品５０のそれぞれに独立してたわみが生じるのを防ぐことができる。したがって、ガラス棚２０に前後方向でのたわみが生じるのを抑えることができる。
【００４３】
本実施の形態に係る冷蔵庫１において、後部部品５０は、棚面２１に平行な当接面５１を介して後枠部４２に当接している。この構成では、後枠部４２又は後部部品５０に上下方向の荷重が加えられたとき、当接面５１を介して後枠部４２と後部部品５０との間に前後方向のすべりが生じやすい。したがって、係合部６０及び被係合部７０によって後枠部４２に対する後部部品５０の前後方向での相対的な移動を規制することが、特に有効となる。
【００４４】
本実施の形態に係る冷蔵庫１において、枠体４０は、棚面２１に平行な第１表面４７と、ガラス棚２０の厚み方向において第１表面４７よりも内側に形成され後方に開口した凹部４８と、を有している。後部部品５０は、棚面２１に平行な第２表面５４と、凹部４８に挿入される凸部５５と、を有している。第１表面４７及び第２表面５４は、同一面上に配置されている。この構成によれば、枠体４０と後部部品５０との継ぎ目５６に段差が形成されるのを防ぐことができる。したがって、使用者の手又は指が継ぎ目５６に引っかかってしまうのを防止できるため、ガラス棚２０及び冷蔵庫１をより使いやすくすることができる。
【符号の説明】
【００４５】
１  冷蔵庫、１０  冷蔵室、１１  野菜室、１２  冷凍室、１３  支持部材、１４  冷気、１５  ダクト部材、１６  風路、１７  吹出口、２０  ガラス棚、２１  棚面、３０  ガラス板、３１  前端部、３２  後端部、３３  左側端部、３４  右側端部、４０  枠体、４１  前枠部、４２  後枠部、４２ａ  切欠き、４３  左側枠部、４４  右側枠部、４５  被当接面、４６  リブ、４７  第１表面、４８  凹部、４９  境界部、５０  後部部品、５０ａ  切欠き、５１  当接面、５２  ねじ、５３  リブ、５４  第２表面、５５  凸部、５６  継ぎ目、６０  係合部、６１  板状部、６１ａ  板面、６１ｂ  先端面、６２  爪部、６２ａ  第１面、６２ｂ  第２面、６２ｃ  第３面、７０  被係合部、７１  穴部、７１ａ  第１内壁面、７１ｂ  第２内壁面、７１ｃ  第３内壁面。
【図１】
2019058509.tif 000003
【図２】
2019058509.tif 000004
【図３】
2019058509.tif 000005
【図４】
2019058509.tif 000006
【図５】
2019058509.tif 000007
【図６】
2019058509.tif 000008
【図７】
2019058509.tif 000009
【図８】
2019058509.tif 000010
【図９】
2019058509.tif 000011
【図１０】
2019058509.tif 000012
【図１１】
2019058509.tif 000013
【図１２】
2019058509.tif 000014
【図１３】
2019058509.tif 000015
【図１４】
2019058509.tif 000016
【図１５】
2019058509.tif 000017
【図１６】
2019058509.tif 000018
【図１７】
2019058509.tif 000019
【図１８】
2019058509.tif 000020
【図１９】
2019058509.tif 000021
【国際調査報告】
2019058509.tif 000022
2019058509.tif 000023
2019058509.tif 000024
2019058509.tif 000025